(57)【要約】【課題】製造過程の歩留まり率を向上させ、製造コスト低減の効果を有する金属棚及びその組み付けアセンブリを提供する。【解決手段】四つの管体１０、十二個の内側スリーブアセンブリ、および、三つの棚板３１を備える。管体１０は表面に間隔を置いて複数の環状溝が形成されている。内側スリーブアセンブリは、四つ毎が一セットとなり、セット毎の管体１０においての水平位置が同じであり、第一内側スリーブ及び第二内側スリーブを有し、第二内側スリーブの第一内側スリーブとは反対側の外壁が円錐状表面を有する。棚板３１は、金属網枠、及び、金属網枠の四つの角部に設置されている四つの組み付けアセンブリを有し、組み付けアセンブリが内側スリーブアセンブリの外壁に嵌合することで固定されている。【選択図】図１
0003194809.tif 000002
【実用新案登録請求の範囲】
【請求項１】
表面に間隔を置いて複数の環状溝が形成されている少なくとも四つの管体と、
前記管体の外壁に嵌合されており、四つ毎が一セットとなり、セット毎の前記管体においての水平位置が同じであり、第一内側スリーブ及び第二内側スリーブを有し、前記第一内側スリーブおよび前記第二内側スリーブの内側にリブが形成されており、前記リブが前記管体の前記環状溝、コに嵌合されており、前記第二内側スリーブの前記第一内側スリーブとは反対側の外壁が円錐状表面を有するすくなくとも八つの内側スリーブアセンブリと、
金属網枠、及び、前記金属網枠の四つの角部に設置されている四つの組み付けアセンブリを有し、前記組み付けアセンブリが前記内側スリーブアセンブリの外壁に嵌合することで固定されている少なくとも二つの棚板と、を備え、
前記組み付けアセンブリは、第一スリーブ部材と、第二スリーブ部材と、を有し、
前記第一スリーブ部材は、内側縁部に第一位置決めリングが突設されている第一収縮部を有し、
前記第一スリーブ部材と前記第二スリーブ部材とは互いに対向して結合することで円管状を形成可能であり、
前記金属網枠の四つの前記角部は、それぞれ前記第一スリーブ部材または前記第二スリーブ部材のいずれか一つと結合することで固定されており、
前記第一スリーブ部材と前記第二スリーブ部材とは対称となるよう設置されており、
前記第二スリーブ部材は内側縁部に第二位置決めリングが突設されている第二収縮部を有し、
前記第一位置決めリングと前記第二位置決めリングとは円形を形成可能であり、
前記第一収縮部および前記第二収縮部は、凸リングを形成可能であり、前記内側スリーブアセンブリの中間部に結合されており、
前記組み付けアセンブリの底縁は前記内側スリーブアセンブリの底部に結合されていることを特徴とする金属棚。
【請求項２】
前記内側スリーブアセンブリにおいて、前記第一内側スリーブと前記第二内側スリーブとは、凹凸結合により位置決めされていることを特徴とする請求項１に記載の金属棚。
【請求項３】
前記金属網枠は、一方の二つの前記角部がそれぞれ前記第一スリーブ部材に固定されており、他方の二つの前記角部が前記第二スリーブ部材に固定されていることを特徴とする請求項１に記載の金属棚。
【請求項４】
前記第一スリーブ部材および前記第二スリーブ部材は、横断面が半円形となるよう形成されており、互いに対向するよう結合することで円管状を形成することを特徴とする請求項１に記載の金属棚。
【請求項５】
前記第一スリーブ部材と前記第二スリーブ部材とは相互に凹凸結合することで固定されていることを特徴とする請求項１に記載の金属棚。
【請求項６】
前記第一スリーブ部材は、頂部の両側にそれぞれ第一嵌合溝が凹設されており、互いに隣接する前記第一嵌合溝にはそれぞれ第一係止部が突設されており、前記第一収縮部が中間部に凹設されており、
前記第一位置決めリングは、前記第一収縮部の内側縁部に位置しており、底部の両側にそれぞれ第二嵌合溝が設置されており、互いに隣接する前記第二嵌合溝にそれぞれ第二係止部が突設されており、
前記第二スリーブ部材は、頂部の両側にそれぞれ第三係止部が突設されており、互いに隣接する前記第三係止部にはそれぞれ第三嵌合溝が凹設されており、前記第二収縮部が中間部内に凹設されており、
前記第二位置決めリングは、前記第二収縮部の内側縁部に位置しており、底部の両側にそれぞれ第四係止部が突設されており、互いに隣接する二つの前記第四係止部にはそれぞれ第四嵌合溝が凹設されており、
前記第二スリーブ部材と前記第一スリーブ部材とが互いに嵌合しており、前記第一嵌合溝と前記第三係止部とが凹凸嵌合されており、前記第一係止部と前記第三嵌合溝とが凹凸嵌合されており、前記第二嵌合溝と前記第四係止部とが凹凸嵌合されており、前記第二係止部と前記第四嵌合溝とが凹凸嵌合されていることを特徴とする請求項５に記載の金属棚。
【請求項７】
金属網枠を有する金属棚に用いられる組み付けアセンブリであって、
第一スリーブ部材と、第二スリーブ部材と、を備え、
前記第一スリーブ部材は内側縁部に第一位置決めリングが突設されている第一収縮部を有し、
前記第一スリーブ部材と前記第二スリーブ部材とは互いに対向して結合することで円管状を形成し、
前記金属網枠の四つ角部は、前記第一スリーブ部材または前記第二スリーブ部材のいずれか一つと結合し固定されており、
前記第二スリーブ部材と前記第一スリーブ部材とは互いに対称となるよう設置されており、
前記第二スリーブ部材は内側縁部に第二位置決めリングが突設されている第二収縮部を有し、
前記第一位置決めリングと前記第二位置決めリングとは円形を形成可能であり、
前記第一収縮部と前記第二収縮部とは、凸リングを形成し、前記金属棚の内側スリーブアセンブリの中間部に結合されており、
底縁が前記内側スリーブアセンブリの底部に結合されていることを特徴とする組み付けアセンブリ。
【請求項８】
前記第一スリーブ部材および前記第二スリーブ部材は、横断面が半円形となるよう形成されており、互いに対向するよう結合することで円管状を形成することを特徴とする請求項７に記載の組み付けアセンブリ。
【請求項９】
前記第一スリーブ部材と前記第二スリーブ部材とは互いに凹凸結合することで固定されていることを特徴とする請求項７に記載の組み付けアセンブリ。
【請求項１０】
前記第一スリーブ部材は、頂部の両側にそれぞれ第一嵌合溝が凹設されており、互いに隣接する前記第一嵌合溝にはそれぞれ第一係止部が突設されており、中間部に前記第一収縮部が凹設されており、
前記第一位置決めリングは、前記第一収縮部の内側縁部に位置しており、底部の両側にはそれぞれ第二嵌合溝が設置されており、互いに隣接する前記第二嵌合溝にそれぞれ第二係止部が突設されており、
前記第二スリーブ部材は、頂部の両側にそれぞれ第三係止部が突設されており、互いに隣接する前記第三係止部にはそれぞれ第三嵌合溝が凹設されており、中間部内に前記第二収縮部が凹設されており、
前記第二位置決めリングは、前記第二収縮部の内側縁部に位置しており、底部の両側にそれぞれ第四係止部が突設されており、互いに隣接する二つの前記第四係止部にはそれぞれ第四嵌合溝が凹設されており、
前記第二スリーブ部材と前記第一スリーブ部材とが互いに嵌合しており、前記第一嵌合溝と前記第三係止部とが凹凸嵌合されており、前記第一係止部と前記第三嵌合溝とが凹凸嵌合されており、前記第二嵌合溝と前記第四係止部とが凹凸嵌合されており、前記第二係止部と前記第四嵌合溝とが凹凸嵌合されていることを特徴とする請求項９に記載の組み付けアセンブリ。
【考案の詳細な説明】
【技術分野】
【０００１】
本考案は、金属棚及びその組み付けアセンブリに関する。
【背景技術】
【０００２】
従来の金属棚はほとんどが複数の棚板また棚板に位置する複数の管体を有し、管体の間にはそれぞれインナーソケットが設置され、また棚板の四つのコーナーにそれぞれ組み付けアセンブリが設置され、また組み付けアセンブリとインナーソケットを相互接合することにより、各棚板を四つの管体の間に固定し、例えば特許文献１において、脚台に位置決めセットが設置されており、また置物盤のコーナーに合わせてソケットが設置され、またソケットが位置決めセットに嵌合され、一般的にソケットと位置決めセットの結合性を高めるために、位置決めセットはラッパ状を呈するように設置され、さらにソケット、コの周縁の合わせ穴をラッパ状を呈するように設置することにより、ソケットは緊密に位置決めセットの外周に嵌合される。
【０００３】
ただし、上述のソケットと棚板はいずれも金属材質により製作され、同時にソケットが位置決めセットの外周に嵌合されるようにし、またソケットと位置決めセットとの間に緊密に接触する面接触が形成されるため、ソケット内における旋削精度が比較的良いラッパ状の合わせ穴が必要となる。そうでない場合、精度が良くないことにより、棚板の四つのコーナーのソケットと対向嵌合する位置決めセットとの嵌合位置が一致しない可能性があり、棚板の傾斜などの問題が生じるので、ソケット、コの合わせ穴の精度が高いほど、製造過程の歩留まり率の低下を招き易く、相対的に業者のコストを増加させるので、改善の余地がある。
【先行技術文献】
【特許文献】
【０００４】
【特許文献１】台湾特許番号第５６６４９０号明細書
【考案の概要】
【考案が解決しようとする課題】
【０００５】
従来の金属棚及びその組み付けアセンブリは実際の使用において、製造過程の歩留まり率が良くなくまた製造コストが高いという問題があった。
【０００６】
本考案は、上述の問題に鑑みてなされたものであり、その主要な目的は、製造過程の歩留まり率を向上させまた製造コストを低減する金属棚及びその組み付けアセンブリを提供することにある。
【課題を解決するための手段】
【０００７】
本考案の目的を達成するために、本考案による金属棚は、少なくとも四つの管体、少なくとも八つの内側スリーブアセンブリ、および、少なくとも二つの棚板を備える。管体は表面に間隔を置いて複数の環状溝が形成されている。内側スリーブアセンブリは、管体の外壁に嵌合されており、四つ毎が一セットとなり、セット毎の管体においての水平位置が同じであり、第一内側スリーブ及び第二内側スリーブを有し、第一内側スリーブおよび第二内側スリーブの内側にリブが形成されており、リブが管体の環状溝、コに嵌合されており、第二内側スリーブの第一内側スリーブとは反対側の外壁が円錐状表面を有する。棚板は、金属網枠、及び、金属網枠の四つの角部に設置されている四つの組み付けアセンブリを有し、組み付けアセンブリが内側スリーブアセンブリの外壁に嵌合することで固定されている。
組み付けアセンブリは、第一スリーブ部材と、第二スリーブ部材と、を有する。
第一スリーブ部材は、内側縁部に第一位置決めリングが突設されている第一収縮部を有する。第一スリーブ部材と第二スリーブ部材とは互いに対向して結合することで円管状を形成可能である。金属網枠の四つの角部は、それぞれ第一スリーブ部材または第二スリーブ部材のいずれか一つと結合することで固定されている。第一スリーブ部材と第二スリーブ部材とは対称となるよう設置されている。第二スリーブ部材は内側縁部に第二位置決めリングが突設されている第二収縮部を有する。第一位置決めリングと第二位置決めリングとは円形を形成可能である。第一収縮部および第二収縮部は、凸リングを形成可能であり、内側スリーブアセンブリの中間部に結合されている。組み付けアセンブリの底縁は内側スリーブアセンブリの底部に結合されている。
【０００８】
本考案による組み付けアセンブリは、金属網枠を有する金属棚に用いられる組み付けアセンブリであり、第一スリーブ部材と、第二スリーブ部材と、を備える。第一スリーブ部材は内側縁部に第一位置決めリングが突設されている第一収縮部を有する。第一スリーブ部材と第二スリーブ部材とは互いに対向して結合することで円管状を形成する。金属網枠の四つ角部は、第一スリーブ部材または第二スリーブ部材のいずれか一つと結合し固定されている。第二スリーブ部材と第一スリーブ部材とは互いに対称となるよう設置されている。第二スリーブ部材は内側縁部に第二位置決めリングが突設されている第二収縮部を有する。第一位置決めリングと第二位置決めリングとは円形を形成可能である。第一収縮部と第二収縮部とは、凸リングを形成し、金属棚の内側スリーブアセンブリの中間部に結合されている。底縁が内側スリーブアセンブリの底部に結合されている。
【０００９】
本考案では、組み付けアセンブリとインナーソケットとの間に少なくとも両リングの線接触が形成されることにより、組み付けアセンブリにおける精度の問題を軽減させることができ、さらに製造過程の歩留まり率を向上させ、製造コストを低減する効果を実現することができる。
【図面の簡単な説明】
【００１０】
【図１】本考案の一実施形態による金属棚を示す斜視図である。
【図２】本考案の一実施形態による金属棚の管体と内側スリーブアセンブリを示す分解斜視図である。
【図３】本考案の一実施形態による金属棚の棚板を示す分解斜視図である。
【図４】本考案の一実施形態による金属棚の第一スリーブ部材を示す斜視図である。
【図５】本考案の一実施形態による金属棚の要部を示す斜視図である。
【図６】本考案の一実施形態による金属棚の組立を示す模式図である。
【図７】本考案の別の実施形態による金属棚の組立を示す模式図である。
【図８】本考案の別の実施形態による金属棚を示す斜視図である。
【考案を実施するための形態】
【００１１】
（一実施形態）
図１から図２に示すように、本考案の金属棚及びその組み付けアセンブリは、少なくとも四つの管体１０、少なくとも八つの内側スリーブアセンブリ２０及び少なくとも二つの棚板３０を含んでいる。
管体１０の表面にはそれぞれ間隔を置いて複数の環状溝１１が設置されている。
【００１２】
内側スリーブアセンブリ２０はそれぞれ管体１０の外周に嵌合されている。四つ毎の内側スリーブアセンブリ２０が一セットである。またセット毎の内側スリーブアセンブリ２０はそれぞれ管体１０の同じ水平位置に位置する。各内側スリーブアセンブリ２０はそれぞれ第一内側スリーブ２１及び第二内側スリーブ２２が設置されている。また各第一内側スリーブ２１と各第二内側スリーブ２２の内側にそれぞれリブ２１０、２２０（図５参照）が形成されている。各内側スリーブアセンブリ２０の対向する第一内側スリーブ２１と各第二内側スリーブ２２は凹凸結合により位置が決められている。またリブ２１０、２２０はそれぞれ管体１０の対向位置の環状溝１１、コに嵌合されている。それにより内側スリーブアセンブリ２０は対向する管体１０の外周に結合されている。そのなかで第一内側スリーブ２１と対向する第二内側スリーブ２２は、外周輪郭において、上が狭く下が広くなる円錐表面が形成されるように組み立てられている。
【００１３】
図３から図５に示すように、各棚板３０は金属網枠３１及び四つの金属網枠３１のコーナーに設置されている組み付けアセンブリ３２を含んでおり、各組み付けアセンブリ３２はそれぞれいずれか内側スリーブアセンブリ２０の外周に結合されることで固定されており、また各組み付けアセンブリ３２はそれぞれ半円形の第一スリーブ部材３２０及び半円形の第二スリーブ部材３２１を含んでおり、各第一スリーブ部材３２０と第二スリーブ部材３２１は対向して結合することで円管状をなし、図に示すように、本実施形態の金属網枠３１の両コーナーはそれぞれ第一スリーブ部材３２０に固定され、金属網枠３１の別の両コーナーはそれぞれ第二スリーブ部材３２１に固定され、また各第一スリーブ部材３２０と各第二スリーブ部材３２１の内縁にはそれぞれ第一位置決めリング３２００及び第二位置決めリング３２１０が突設されており、相対応する第一位置決めリング３２００及び第二位置決めリング３２１０が対応して円形をなす。
【００１４】
各第一スリーブ部材３２０の両側は相互に対称にそれぞれ階層状をなし、頂部の両側においてそれぞれ第一嵌合溝３２０１が凹設されており、また相隣する両第一嵌合溝３２０１はそれぞれ第一係止部３２０２が突設されており、また中段には第一収縮部３２０３が凹設されており、第一位置決めリング３２００は第一収縮部３２０３の内縁に位置し、底部の両側にはそれぞれ第二嵌合溝３２０４が凹設されており、また相隣する両第二嵌合溝３２０４はそれぞれ第二係止部３２０５が突設されている。
【００１５】
各第二スリーブ部材３２１と各第一スリーブ部材３２０は対称的に設置され、各第二スリーブ部材３２１は頂部の両側にそれぞれ第三係止部３２１１が突設されており、また相隣する両第三係止部はそれぞれ第三嵌合溝３２１２が凹設されており、また中段に第二収縮部３２１３が凹設されており、第二位置決めリング３２１０は第二収縮部３２１３の内縁に位置し、底部の両側にそれぞれ第四係止部３２１４が突設されており、また相隣する両第四係止部３２１４はそれぞれ第四嵌合溝３２１５が凹設されており、また第二スリーブ部材３２１と第一スリーブ部材３２０が相互に嵌合することにより、第一嵌合溝３２０１と対応する第三係止部３２１１が凹凸嵌合し、第一係止部３２０２とそれに対応する第三嵌合溝３２１２が凹凸嵌合し、また第二嵌合溝３２０４とそれに対応する第四係止部３２１４が凹凸嵌合し、第二係止部３２０５とそれに対応する第四嵌合溝３２１５が凹凸嵌合し、それにより組み立てられた後の第一スリーブ部材３２０が形成される。
【００１６】
組み立ての際には、図５及び図６に示すように、本実施形態の各棚板の四つのコーナーの各組み付けアセンブリ３２を組み立てるように固定し、すなわち相対応する第一スリーブ部材３２０及び第二スリーブ部材３２１が相互嵌合し、それにより第一スリーブ部材３２０の第一嵌合溝３２０１、第一係止部３２０２、第二嵌合溝３２０４及び第二係止部３２０５が第二スリーブ部材３２１の第三係止部３２１１、第三嵌合溝３２１２、第四係止部３２１４及び第四嵌合溝３２１５に順次嵌合され、それにより第一スリーブ部材３２０と第二スリーブ部材３２１が円柱状をなし、またそれにより第一収縮部３２０３と第二収縮部３２１３が凸リングをなし、組み付けアセンブリ３２が内側スリーブアセンブリ２０の外周に嵌合された時、内側スリーブアセンブリ２０の外周に上が狭く下が広くなる円錐状表面をなし、それにより第一収縮部３２０３及び第二収縮部３２１３は内側スリーブアセンブリ２０中段に結合され、組み付けアセンブリ３２の底縁は内側スリーブアセンブリ２０の底部に結合され、二箇所のリング形の接触が形成されることにより、第一収縮部３２０３と第二収縮部３２１３により凸縁が形成され、対向して内側スリーブアセンブリ２０と線接触を形成し、それにより組み付けアセンブリ３２内の壁面の精度の大幅な減少が可能になり、第一収縮部３２０３と第二収縮部３２１３の精度をコントロールするだけで組み付けアセンブリ３２を内側スリーブアセンブリ２０の外周に精確に固定することができ、さらに製造過程の歩留まり率を向上させ、製造コストを削減する効果を実現することができる。
【００１７】
また、本考案は使用者のニーズに合わせて必要な数量の棚板３０及び管体１０を組み立て、図７及び図８に示すように、本実施形態の管体１０では６本の設置が可能で、棚板３０の数量は６枚であって、また各管体１０は予め設置した位置の外周に複数の内側スリーブアセンブリ２０が嵌合固定されるように設置されており、また各棚板３０の両コーナーがそれぞれ第一スリーブ部材３２０に固定され、また金属網枠３１の別の両コーナーがそれぞれ第二スリーブ部材３２１に固定されることにより、棚板３０は第一スリーブ部材３２０の対応する相隣する棚板３０の第二スリーブ部材３２１への嵌合組み立てが可能で、また内側スリーブアセンブリ２０の外周に結合され、また各棚板３０の相隣していないもう棚板３０のコーナーは追加的に設置された対向する第一スリーブ部材３２０または第二スリーブ部材３２１に組合せ固定され、それによりそれぞれ棚板３０と管体１０が組合せ固定される。ただし本考案はこれに限らず、棚板３０の数量、管体１０の数量及び内側スリーブアセンブリ２０の数量は使用者のニーズによって調整変更が可能で、例えば棚板３０の数量は３Ｘ３、４Ｘ２、４Ｘ４等への変更が可能である。
【００１８】
本考案は上述の実施形態及び変形例により述べられたが、本考案のあらゆる実施形態及び変形例は例示にすぎず、本考案の実質的な精神及び範囲に基づき、上述の特徴の金属棚及びその組み付けアセンブリの各種の変化はすべて本考案に含まれるものとする。
【符号の説明】
【００１９】
１０  管体、  
１１  環状溝、  
２０  内側スリーブアセンブリ、  
２１  第一内側スリーブ、  
２１０、２２０  リブ
２２  第二内側スリーブ、  
３０  棚板、  
３１  金属網枠、  
３２  組み付けアセンブリ、  
３２０  第一スリーブ部材、  
３２００  第一位置決めリング、  
３２０１  第一嵌合溝、  
３２０２  第一係止部、  
３２０３  第一収縮部、  
３２０４  第二嵌合溝、  
３２０５  第二係止部、  
３２１  第二スリーブ部材、  
３２１０  第二位置決めリング、  
３２１１  第三係止部、  
３２１２  第三嵌合溝、  
３２１３  第二収縮部、  
３２１４  第四係止部。  
【図１】
0003194809.tif 000003
【図２】
0003194809.tif 000004
【図３】
0003194809.tif 000005
【図４】
0003194809.tif 000006
【図５】
0003194809.tif 000007
【図６】
0003194809.tif 000008
【図７】
0003194809.tif 000009
【図８】
0003194809.tif 000010